(57)【要約】【課題】簡単な構造で操作も容易であり、特別の配線なしで取り付けることができる照明器具制御用の装置を提供することである。【解決手段】スイッチＡ、Ｂ、Ｃ、Ｄを有する制御器１０と照明器具Ｌを接続した調光器２０をそれぞれ電灯線につなぎ、電灯線通信を利用して信号の受授を行なう。制御器１０には、スイッチＡ、Ｂ、Ｃ、ＤのＯＮ・ＯＦＦの組合せから調光パターン番号を検索するテーブルを有し、検索されたパターン番号を調光器２０に送ると、調光器２０は、パターン番号に対応する調光パターンテーブルを検索して所定の調光パターンで照明器具Ｌを点灯消灯する。【選択図】図１
2007005184.tif 000002
【特許請求の範囲】
【請求項１】
複数のスイッチを有する制御手段と、この制御手段と電灯線通信によって接続された、照明器具を有する調光手段より成り、前記制御手段は前記スイッチのＯＮ・ＯＦＦ状態を検出してその組合せパターンから所定のパターン番号を出力し、前記調光手段は前記パターン番号に対応する調光パターンを照明器具に対して実行するようにした照明装置。
【請求項２】
前記制御手段は、複数のスイッチのＯＮ・ＯＦＦ状態の全ての組合せとそれぞれの組合せに対応するパターン番号を設けたテーブルを有し、複数のスイッチの状態を検出したときその組合せによって前記テーブルを検索する手段を有する請求項１に記載の照明装置。
【請求項３】
前記調光手段は、前記制御手段から受信したパターン番号に対応する調光パターンテーブルを有し、前記パターン番号によってテーブルを検索して該当する調光パターンを実行する手段を有する請求項１または２に記載の照明装置。
【請求項４】
前記調光パターンは、照明器具の点灯消灯の開始時期と明るさ及びその実行回数を規定するものである請求項１〜３のいずれかに記載の照明器具。
【請求項５】
前記制御手段に人感センサを設け、人感センサの作動によって警報器を動作させるかまたは／および照明器具を点滅させるようにした請求項１〜４のいずれかに記載の照明装置。
【請求項６】
前記制御手段は、設定の変更によって複数のスイッチを排他的または連動的に動作させる設定変更手段を有する請求項１〜５のいずれかに記載の照明装置。
【発明の詳細な説明】
【技術分野】
【０００１】
この発明は、白熱灯、蛍光灯などの照明器具を点灯調光したり、その点灯時間を複数のスイッチのオンオフ操作だけで制御可能にした簡単な装置に関する。
【背景技術】
【０００２】
通常の家屋内で各部屋や廊下などに設置された照明器具は、それぞれの照明器具に対応して設けられたスイッチで点灯消灯されるのが普通である。また、このスイッチの操作で例えば２段階に調光できるようにしたものもある。しかしながらこのような照明システムでは、例えば任意の明るさで任意時間点灯しておくような選択可能なパターンで照明器具を制御することはできない。そこで種々のパターンを予め考えておき、このパターンを入力することによって照明器具を制御するシステムが考えられているが、特別の配線が必要となり装置も複雑になって操作も煩雑になるなどの問題が生じている。
【発明の開示】
【発明が解決しようとする課題】
【０００３】
そこで、この発明の課題は、簡単な構造で操作も容易であり、特別の配線なしで取り付けることができる照明器具を制御するための装置を提供することである。
【課題を解決するための手段】
【０００４】
上記の課題を解決するために、この発明の照明装置は、複数のスイッチを有する制御手段と、この制御手段と電灯線通信によって接続された、照明器具を有する調光手段より成り、前記制御手段は前記スイッチのＯＮ・ＯＦＦ状態を検出してその組合せパターンから所定のパターン番号を出力し、前記調光手段は前記パターン番号に対応する調光パターンを照明器具に対して実行するようにしたのである。
【０００５】
前記制御手段は、複数のスイッチのＯＮ・ＯＦＦ状態の全ての組合せとそれぞれの組合せに対応するパターン番号を設けたテーブルを有し、複数のスイッチの状態を検出したとき、その組合せによって前記テーブルを検索する手段を設けておくのが好ましい。また、前記調光手段は、前記制御手段から受信したパターン番号に対応する調光パターンテーブルを有し、前記パターン番号によってテーブルを検索して該当する調光パターンを実行する手段を設けておくのがよい。
【０００６】
前記調光パターンは、照明器具の点灯消灯の開始時期と明るさ及びその実行回数を規定するものがよい。さらに、前記制御装置に人感センサを設け、その作動によって警報器を作動させたり照明器具を点滅させることができる。そのほか、前記制御手段には、設定の変更によって複数のスイッチを排他的または連動的に動作させる設定変更手段を設けておくことができる。
【発明の効果】
【０００７】
この発明によれば、以上のように、電灯線通信を利用して照明器具を制御するようにしたので、既存の住宅に特別の配線なしで導入することができ、新築の場合でも従来の屋内配線のみで足り、また複数のスイッチの操作だけで様々な照明機能を現出することができ、装置も簡単であるなどの効果を有する。
【発明を実施するための最良の形態】
【０００８】
以下、この発明の実施形態を添付図面に基づいて説明する。図１に示すように、この発明の照明装置は、制御器１０と、調光器２０と、必要に応じて設けられる出力器３０より成り、制御器１０、調光器２０、出力器３０はそれぞれＡＣ１００Ｖの電灯線に接続され、それを電源にすると共に電灯線通信を利用して信号の送受信を行なっている。
【０００９】
前記制御器１０には、複数、例えば４個のオン・オフスイッチＡ、Ｂ、Ｃ、Ｄが設けられ、必要に応じて人感センサＳが設けられている。また、前記調光器２０には、照明器具Ｌが接続され、出力器３０には、ブザーなどの警報器Ｗが接続される。
【００１０】
前記制御器１０に設けられたスイッチＡ、Ｂ、Ｃ、Ｄは、照明器具Ｌを様々な状態に制御するものであって、それらのスイッチのＯＮ・ＯＦＦにより少なくとも１５通りの（全てのスイッチが不作動の場合を除く）信号を発生させることができる。制御器１０には、図２に示すように、このスイッチ状態を検出して信号を作成する手段１１と、この信号に対応する照明器具Ｌの明るさや照光時間などのパターンを示す番号テーブルからパターン番号を検索するための手段１２が設けられている。このパターン番号は、スイッチのパターンに対して任意に選択することができるが、例えば図３に示すようなものである。勿論異なったスイッチのパターンに対して同じ番号があってもよい。このテーブルからパターン番号を検索すると、その番号を出力する手段１３が設けられ、その番号を調光器２０に送信する。調光器２０は、図４に示すようなパターン番号に対応した調光パターンのテーブルを保有し、受信したパターン番号を検索する手段２１が設けられ、検索した調光パターンを実行する手段２２を有し、照明器具Ｌの明るさとその点灯開始時間及び接続時間を時系列的に変化させることができる。例えば、パターン番号が１とすると、調光パターンは、最初のステップ１では瞬間的に消灯し、次のステップ２で２秒後に照明器具の１００％の明るさになるよう徐々に調光し、繰返し実行回数が一回であるからその明るさを持続する。また、パターン番号が８とすると、まずステップ１で１秒後に４０％の明るさで照光し、２秒後に消え、１秒後に２０％の明るさで再び照光し、さらに１秒後に消光するパターンを永続して繰返す。このような調光パターンは、このテーブルに表示したものに限らず、メモリの範囲内で任意に設定・選択可能である。
【００１１】
前記制御器１０にスイッチ以外の例えば人感センサＳを接続し、このデジタル入力によって、同じスイッチの操作でも照明器具の調光パターンを変化させることができる。そして出力器３０に警報器Ｗを接続しておき、スイッチのうちの特定の一つをＯＮにしておくと、人感センサＳが人を感知したときに照明器具を点滅させて警報器Ｗを作動させるようにすることができる。
【００１２】
前記制御器１０に設けるスイッチの数は、言うまでもなく任意に選択可能である。また調光器２０の数も必要に応じて選択すればよい。複数の調光器２０を設けた場合、図３の調光パターンテーブルをそれぞれ異なったものとし、照明器具Ｌを設置する場所に適合した調光パターンとすることができる。
【００１３】
また、プログラムの更新、パラメータの設定、設定スイッチの切り替えなどの設定の変更によって、複数のスイッチを強制的にＯＦＦにする排他的な制御手段を設けることができ、さらに複数のスイッチを連動して同じ状態にする制御手段を設けることができる。この場合、離れた場所のスイッチで照明器具を操作することができる。
【００１４】
そのほか、ＡＮＤ回路、ＯＲ回路、ＩＮＶＥＲＴＥＲ（反転）回路などを利用して、種々のスイッチ操作により様々なパターンで照明器具を点灯消灯させることができる。
【図面の簡単な説明】
【００１５】
【図１】この発明の照明装置の一例を示すブロック図
【図２】照明装置の制御手段を示すブロック図
【図３】スイッチの状態を示すテーブル
【図４】調光パターンの一例を示すテーブル
【符号の説明】
【００１６】
１０  制御器
１１  スイッチ状態検出手段
１２  パターン番号テーブル検索手段
１３  パターン番号出力手段
２１  調光パターン検索手段
２２  調光パターン実行手段
Ａ    スイッチ
Ｂ    スイッチ
Ｃ    スイッチ
Ｄ    スイッチ
Ｌ    照明器具
Ｓ    人感センサ
Ｗ    警報器
【図１】
2007005184.tif 000003
【図２】
2007005184.tif 000004
【図３】
2007005184.tif 000005
【図４】
2007005184.tif 000006